(57)【要約】      （修正有）【課題】暗闇において、置かれた姿勢に関わらず、容易に見つけ出すことができ、必要物品を持ち出すことができるバッグを提供する。【解決手段】バッグ２は、外面が、上部１０、底部、正面部、背面部１６、左側部及び右側部２０を含む本体４と、両端が本体に取り付けられた、一対の手提げ部６及び一対の背負いベルト８のうちの少なくとも一方と、本体の各部、手提げ部及び背負いベルトのうちの少なくとも本体の各部を通るように形成された、蓄光性を有する蓄光部材２２とを備え、本体に対していずれの方向からも蓄光部材が視認しうるように構成されている。【選択図】図１
0003209616.tif 000002
【実用新案登録請求の範囲】
【請求項１】
その外面が、上部、底部、正面部、背面部、左側部及び右側部を含む本体と、
その両端が本体に取り付けられた、一対の手提げ部及び一対の背負いベルトのうちの少なくとも一方と、
上記本体の上記各部、上記手提げ部及び上記背負いベルトのうちの少なくとも本体の各部を通るように形成された、蓄光性を有する蓄光部材とを備えており、
上記本体に対していずれの方向からも上記蓄光部材の少なくとも一部が視認されうるように構成されているバッグ。
【請求項２】
上記蓄光部材が、上記左右の各側部の周囲、上記手提げ部、及び、上記背負いベルトのうち、少なくとも左右の各側部の周囲に沿って装着されており、
上記左右の各側部と上記上部との境界部、上記左右の各側部と上記正面部との境界部、上記左右の各側部と上記背面部との境界部、及び、上記左右の各側部と上記底部との境界部のそれぞれに、上記蓄光部材が配置されている請求項１に記載のバッグ。
【請求項３】
上記背面部に、
上記一対の背負いベルトと、
この背負いベルトをその上方から挿入して収納しうる第１のポケットとを備えている請求項１又は２に記載のバッグ。
【請求項４】
上記背面部に、
上記第１のポケットと重なり合って形成された第２のポケットを備えており、
上記第１のポケットの上端の開口部の位置と、上記第２のポケットの上端の開口部の位置とが、上下方向に離間している請求項３に記載のバッグ。
【請求項５】
上記本体内に、互いに隔離された第１収納部と第２収納部とが形成されており、
これら第１収納部及び第２収納部のそれぞれが本体外部に対する開口部を有しており、
上記第１収納部の開口部が、本体の上面に形成されており、
この第１収納部の開口部の周囲に沿って、低弾性の芯材が設けられており、この芯材により、この第１収納部の開口部が、開かれたときに、その開いた状態を維持しうるように構成されている請求項１から４のいずれかに記載のバッグ。
【考案の詳細な説明】
【技術分野】
【０００１】
本考案は、バッグに関する。詳細には、本考案は、物品を収納して持ち運ぶためのバッグに関する。
【背景技術】
【０００２】
従来、地震、火事等の非常事態において、緊急避難時に、懐中電灯、軍手、ロープ、防災頭巾、履き物、ナイフ、薬剤等の救急用品、非常食、水入りボトル等の防災グッヅを持ち出すためのバッグが提案されている。例えば、実用新案登録第３０１６８６３号公報、実用新案登録第３０２２４０２号公報、実用新案登録第３１０６９７３号公報等に、各種の非常持出袋が提案されている。
【０００３】
実用新案登録第３０１６８６３号公報には、リュックサックの収納部を上下二層に区分けして、それぞれの領域に収納する物品を予め決めることが提案されている。実用新案登録第３０２２４０２号公報には、リュックサックに「非常持出袋」等と表示した表示部を形成し、この表示部に、その視認性向上のために蓄光材料を含む塗料を塗布しておくことが提案されている。実用新案登録第３１０６９７３号公報には、リュックサック内に、蓄光材が塗布された浮き袋を収納すること、並びに、リュックサックの外面に、内容物の表示及び点検・取り替え時期の表示を行うことが提案されている。
【０００４】
しかしながら、地震、火事等の非常事態に、平常心で対応することが困難である場合が多い。冷静に必要物品を持ち出すことはおろか、必要物品を収納した非常持出袋を見つけ出すことすら難しくなることがある。さらに、非常持出袋を常に枕元に一定の姿勢で置いておくことも容易ではなく、見つけることが困難となる。夜間で且つ停電時にはなおさらである。このような緊急事態に対して、上記特許文献が提案している技術では、十分に対応し得るとは言いがたい。
【先行技術文献】
【特許文献】
【０００５】
【特許文献１】実用新案登録第３０１６８６３号公報
【特許文献２】実用新案登録第３０２２４０２号公報
【特許文献３】実用新案登録第３１０６９７３号公報
【考案の概要】
【考案が解決しようとする課題】
【０００６】
本考案は、かかる現状に鑑みてなされたものであり、その目的は、たとえ夜間で且つ停電等による暗闇においても、また、置かれた姿勢に関わらず、容易に見つけ出すことができ、必要物品を持ち出すことができるバッグの提供にある。
【課題を解決するための手段】
【０００７】
本考案に係るバッグは、
その外面が、上部、底部、正面部、背面部、左側部及び右側部を含む本体と、
その両端が本体に取り付けられた、一対の手提げ部及び一対の背負いベルトのうちの少なくとも一方と、
上記本体の上記各部、上記手提げ部及び上記背負いベルトのうちの少なくとも本体の各部を通るように形成された、蓄光性を有する蓄光部材とを備えており、
上記本体に対していずれの方向からも上記蓄光部材の少なくとも一部が視認されうるように構成されている。
【０００８】
上記蓄光部材が、上記左右の各側部の周囲、上記手提げ部、及び、上記背負いベルトのうち、少なくとも左右の各側部の周囲に沿って装着されており、
上記左右の各側部と上記上部との境界部、上記左右の各側部と上記正面部との境界部、上記左右の各側部と上記背面部との境界部、及び、上記左右の各側部と上記底部との境界部のそれぞれに、上記蓄光部材が配置されているバッグが好ましい。
【０００９】
上記背面部に、
上記一対の背負いベルトと、
この背負いベルトをその上方から挿入して収納しうる第１のポケットとを備えているバッグが好ましい。
【００１０】
上記背面部に、
上記第１のポケットと重なり合って形成された第２のポケットを備えており、
上記第１のポケットの上端の開口部の位置と、上記第２のポケットの上端の開口部の位置とが、上下方向に離間しているバッグが好ましい。
【００１１】
上記本体内に、互いに隔離された第１収納部と第２収納部とが形成されており、
これら第１収納部及び第２収納部のそれぞれが本体外部に対する開口部を有しており、
上記第１収納部の開口部が、本体の上面に形成されており、
この第１収納部の開口部の周囲に沿って、低弾性の芯材が設けられており、この芯材により、この第１収納部の開口部が、開かれたときに、その開いた状態を維持しうるように構成されているバッグが好ましい。
【考案の効果】
【００１２】
このバッグによれば、たとえ夜間で且つ停電等による暗闇においても、また、置かれた姿勢に関わらず、容易に見つけ出すことができ、必要物品を持ち出すことができる。
【図面の簡単な説明】
【００１３】
【図１】図１は、本考案の一実施形態に係るバッグを、その背面側から見た斜視図である。
【図２】図２（ａ）は図１のバッグの正面図であり、図２（ｂ）はその底面図であり、図２（ｃ）はその右側面図である。
【図３】図３は、図２（ａ）のバッグにおける矢印ＩＩＩ−ＩＩＩに沿って見た一部を切り欠いた右側面図である。
【考案を実施するための形態】
【００１４】
以下、適宜図面が参照されつつ、好ましい実施形態に基づいて本考案が詳細に説明される。
【００１５】
図１から図３に示されたバッグ２は、物品を収納する本体４と、この本体４に装着された、一対の手提げ部（手提げ紐等ともいう）６及び一対の背負いベルト（肩バンド等ともいう）８とを有している。このバッグ２は、手提げバッグ及びリュックサックの両方の性質を備えている。
【００１６】
本体４の外面は、上部１０、底部１２、正面部１４、背面部１６、左側部１８及び右側部２０を含んでいる。本実施形態では、本体４の上記各部１０、１２、１４、１６、１８、２０は布地から形成されている。上記各部１０、１２、１４、１６、１８、２０は、互いに異なる布地から構成された上で接合されてもよい。本実施形態では、上部１０は、正面部１４及び背面部１６の各上方部分から構成されているとも言える。このように、各部１０、１２、１４、１６、１８、２０は、互いに異なる布地から構成された上で接合されることに限定はされない。隣接した複数の部位を同一の布地やシートから連続して構成してもよい。この場合、上記各部の境界は明確ではなくなるが、このような構成も本考案に含まれる。上記手提げ部６は、本体４の正面部１４及び背面部１６の両方に装着されている。上記背負いベルト８は、背面部１６のみに装着されている。
【００１７】
このバッグ２の外表面には、蓄光性を有する蓄光部材２２が装着されている。この蓄光部材２２は、線状を呈しているので、以下、蓄光線部２２とも呼ぶ。この蓄光線部２２は、上記左右の各側部１８、２０と、上部１０との境界部、正面部１４との境界部、背面部１６との境界部、及び、底部１２との境界部のそれぞれに配置されている。本実施形態では本体が布地から形成されているので、上記境界部とは、上記各部同士の縫合部を言うことになる。この本体４では、左右の各側部１８、２０の周囲に沿って、一本の蓄光線部２２が延在している。その結果、暗闇の中でも、バッグ２がいかなる姿勢で載置されていようとも、本体４のいずれの方向からも、蓄光線部２２を視認することができる。この蓄光線部２２の配置は、効率よく、バッグの全方向からの視認性を実現しうる。例えば、バッグ２の正面部１４側からは、正面部１４の左右両端に沿った蓄光線部２２を視認できる。バッグ２の背面部１６側からは、背面部１６の左右両端に沿った蓄光線部２２を視認できる。バッグ２の左右の各側部１８、２０側からは、各側部１８、２０の左右両端及び下端に沿った蓄光線部２２を視認できる。バッグ２の上部１０側からは、上部１０の左右両端に沿った蓄光線部２２を視認できる。バッグ２の底部１２側からも、底部１２の左右両端に沿った蓄光線部２２を視認できる。このバッグ２は、暗闇の中でも、その蓄光線部２２を視認できるため、一目でその位置を確認することができる。
【００１８】
この蓄光線部２２は、公知の蓄光材料を含む塗料が塗布された合成樹脂シート等から形成されている。このシートが、左右の各側部１８、２０と、他の各部１０、１２、１４、１６との縫合部を囲んだ状態で縫い付けられることにより、蓄光線部２２を構成している。この構成は、蓄光線部の形成方法の一例である。この構成により、蓄光線部２２は、上部１０、底部１２、正面部１４、背面部１６、及び、左右両側部１８、２０の各面を通ることになる。この蓄光線部２２の横断面はほぼ部分円形を呈している。この部分円形の直径は、おおよそ３ｍｍから８ｍｍ程度である。もちろん、この蓄光線部２２の配置は、左右の各側部１８、２０の周囲のみに限定されない。例えば、本体４の各部１０、１２、１４、１６、１８、２０の面内に蓄光線部２２を装着してもよい。例えば、後述する上部１０の第１開口部３０のファスナー（ジッパー）４２の長手方向に沿って蓄光線部２２を設けても良い。また、手提げ部６及び／又は背負いベルト８の長手方向に沿って装着してもよい。また、線状の蓄光線部２２に代えて、より広い面積を持った蓄光シートを採用してもよい。しかし、バッグのコスト低減の観点、及び、デザイン性の観点からは、蓄光線部２２とするのが好ましい。線状であっても、視認性は極端に悪化せず、また広い範囲に発光機能が行き届くからである。しかし、小面積の蓄光シートであれば上記問題を回避しうる。例えば、図１に示される本体上部１０のファスナー４２の端部に貼着されたシート４６、図１に示される背負いベルト８の長手方向の中間部に貼着されたシート４８、図２（ａ）に示される正面部１４の下端における左右端それぞれに貼着されたシート５０等に、蓄光シートを採用してもよい。
【００１９】
上記した蓄光線部２２の形状及び配置により、優れた視認性のみならず、デザイン性にも優れることが判る。このバッグ２は、緊急避難時のみならず、通常の買い物や旅行等においても問題なく使用されうる。
【００２０】
図３に示されるように、上記本体４内には、仕切布２８によって互いに上下に隔離された第１収納部２４及び第２収納部２６という２個の収納部が形成されている。３個以上の収納部が形成されていてもよい。本実施形態では、仕切布２８の下端縁２８ａが本体４内の底部１２の背面側端縁１２ａに固着されている。しかし、かかる構成には限定されず、仕切布２８の下端縁２８ａは、本体４内の底部１２の正面側端縁１２ｂに固着されてもよく、本体４内の背面部１６の中間高さ位置に固着されてもよい。
【００２１】
第１収納部２４は、外部と連通しうる第１開口部３０を有している。第２収納部２６も、外部と連通しうる第２開口部３２を有している。第１開口部３０は、本体４の上部１０に、正面部１４及び背面部１６に対してほぼ平行に形成されている（図１及び図２参照）。第２開口部３２は、本体４の正面部１４に、ほぼ逆Ｕ字状に形成されている（図２（ａ）参照）。もちろん、第２開口部３２は逆Ｕ字状には限定されない。直線状等であってもよい第１開口部３０及び第２開口部３２ともに、ファスナー４２によって開閉されうる。第１開口部３０は、図１には閉じた状態が示され、図３には開いた状態が示されている。第２開口部３２は、図２（ａ）には閉じた状態が示され、図３には開いた状態が示されている。
【００２２】
第１開口部３０は、その開口周囲３０ａに、硬度が比較的高く且つ弾性が低い、いわば形状維持機能を有する芯材（図示せず）が配設されている。それにより、この第１開口部３０は開いた状態を維持しうる。この第１収納部２４は、日常持ち歩く物品や貴重品、例えば、自動車のキー、財布、携帯電話機、乗り物の定期券、腕時計等を収納する上で便利である。第１開口部３０が、本体４の上面に開いた状態を維持することができるので、使用者が勤務を終了して帰宅したときなど、枕元に置いてある本バッグ２の第１開口部３０に、上記貴重品や日常品を放り込んで容易に第１収納部２４内に収納することができる。使用者はかかる作業を習慣づけやすい。また、後述するように、第１収納部２４内に高明度な又は光反射性を有する布やシートが用いられる。従って、第１収納部２４内が見やすくなり、貴重品や日常品を確認しながら取り出すことが容易となる。このように、第１収納部２４は、簡易な物置台として、例えば日常の生活で言えば、机やドレッサーの上のほぼ定まった場所として使用することができる。
【００２３】
第２開口部３２は、正面部１４の左右両端にまで広がった逆Ｕ字状に形成されているため、大きな開口となりうる（図２（ａ）、図３参照）。また、正面部１４のうちの、逆Ｕ字状開口３２に囲まれた範囲の布地は、大きな蓋３２ａとしての機能を奏する。図３は、この蓋３２ａが開かれている状態を示す。従って、この第２収納部２６には、懐中電灯、軍手、ロープ、防災頭巾、履き物、ナイフ、薬剤等の救急用品、非常食、水入りボトル等の、比較的大きな防災グッヅをも容易に出し入れすることができる。このような物品は、日常、殆ど必要としない物品だから、本体４の低い位置にある第２収納部２６に収納しておいて問題は無い。
【００２４】
上記背負いベルト８が装着されている背面部１６には、第１ポケット３４及び第２ポケット３６が形成されている。この両ポケット３４、３６は、前述の第１及び第２の収納部２４、２６とは隔離されている。両ポケット３４、３６は、互いに重なり合って外側と内側の二重にされている。第１ポケットを外側ポケット３４と呼び、第２ポケットを内側ポケット３６と呼んでもよい。もちろん、１個又は重なり合う３個以上のポケットを形成してもよい。各ポケット３４、３６の上端が、それぞれポケットの開口部である。
【００２５】
図１及び図３に示されるように、本実施形態では、外側ポケット３４の上端縁（開口部）のほうが、内側ポケット３６の上端縁（開口部）より高い位置にある。もちろん、上端縁の高低を逆にしてもよい。また、これらのポケット３４、３６の上端縁の高さ位置を同一にしてもよい。しかし、ポケット３４、３６の上端縁の高さ位置を異ならせておくほうが、手指によって両ポケット３４、３６を区別することができる。両ポケット３４、３６の使用目的の相違、すなわち収納物品の種類を相違させる上で便利である。
【００２６】
図３には、外側ポケット３４に背負いベルト８を収納することが例示されている。背負いベルト８は、バッグ２の緊急な持ち出し時には邪魔になることがあるからである。この場合、外側ポケット３４には背負いベルト８のみを収納し、内側ポケット３６にはその他の物品、例えばスリッパ、地下足袋等の履き物等を収納しておく。こうしておけば、背負いベルト８を引き出したときにも、履き物等が背負いベルト８に引っ掛かって共に引き出されてしまうことが防止されうる。もちろん、内側ポケット３６に背負いベルト８を収納し、外側ポケット３４にその他の物を収納してもよい。図１に示されるように、外側ポケット３４の上端近傍の中央部、及び、対向する本体背面部１６の部位（図示せず）には、互いに係合して外側ポケット３４の閉状態を維持するスナップ（押しフォック）４４が設けられている。
【００２７】
第１収納部２４及び第２の収納部２６、並びに、外側ポケット３４及び内側ポケット３６の各内面（上記仕切布２８を含む）は、明るい色（明度の高い色）の布やシート、光反射性を有する布やシートが用いられるのが好ましい。特に、前述した第１収納部２４のように、日常的に物品を出し入れする収納部には高明度又は光反射性を有する布やシートが用いられる。
【００２８】
図１から図３に示されるように、本実施形態では、左右の側部１８、２０それぞれに、上端が開口した横ポケット３８，４０が設けられている。各横ポケット３８，４０には、開口部の閉状態を維持するためのスナップ４４が設けられている。
【００２９】
以上説明された実施形態では、蓄光部材が採用されている。しかし、蓄光部材のみには限定されない。蓄光部材とともに、蛍光部材や反射部材をも採用することに問題は無い。例えば、前述した、図１に示されるシート４６、４８、図２（ａ）に示されるシート５０等に、反射シートや蛍光シートが採用されてもよい。
【産業上の利用可能性】
【００３０】
以上説明されたバッグは、地震、火事等の非常事態における緊急持ち出しに限らず、通常の買い物や旅行等においても広く使用されうる。
【符号の説明】
【００３１】
２・・・バッグ
４・・・本体
６・・・手提げ部
８・・・背負いベルト
１０・・・（本体の）上部
１２・・・（本体の）底部
１４・・・（本体の）正面部
１６・・・（本体の）背面部
１８・・・（本体の）左側部
２０・・・（本体の）右側部
２２・・・蓄光線部（蓄光部材）
２４・・・第１収納部
２６・・・第２収納部
２８・・・仕切布
３０・・・第１開口部
３２・・・第２開口部
３４・・・外側ポケット（第１ポケット）
３６・・・内側ポケット（第２ポケット）
３８、４０・・・横ポケット
４２・・・ファスナー
４４・・・スナップ
４６、４８、５０・・・シート
【図１】
0003209616.tif 000003
【図２】
0003209616.tif 000004
【図３】
0003209616.tif 000005